(57)【要約】【課題】  壁面に取り付けられたカウンターの配管貫通用開口を貫通する配管を、配管貫通用開口を止水した状態で壁面に固定することのできる配管固定具を提供すること。【解決手段】  壁パネル１３ｂに取り付けられたカウンター１４の配管貫通用開口１８を貫通する給湯管１７ａと給水管１７ｂとを壁パネル１３ｂに固定する配管固定具２０を、配管貫通用開口１８を閉塞する止水板２１と、給湯管１７ａと給水管１７ｂとを貫通させるとともに給湯管１７ａと給水管１７ｂとの周面を密閉した状態で保持できる配管保持部２２，２３と、壁パネル１３ｂに当接して壁パネル１３ｂと止水板２１との間を止水する止水壁部２４とで構成した。また、配管保持部２２を、保持部本体２２ａと可撓片２２ｂ，２２ｃとで構成し、配管保持部２３を、保持部本体２３ａと可撓片２３ｂ，２３ｃとで構成した。【選択図】  図３
2008180338.tif 000002
【特許請求の範囲】
【請求項１】
壁面に取り付けられたカウンターにおける前記壁面側の縁部に形成された配管貫通用開口を貫通する配管を前記壁面に固定するための配管固定具であって、前記配管貫通用開口を閉塞する止水板と、前記止水板に設けられ前記配管を貫通させるとともに前記配管の周面を密閉した状態で保持できる配管保持用開口を備えた配管保持部とで構成したことを特徴とする配管固定具。
【請求項２】
前記配管保持部を、前記壁面側部分が開放され前記配管の周面の前部側に密接する保持部本体と、前記保持部本体の開放側両端にそれぞれ設けられ前記保持部本体側に撓むことにより前記配管が前記配管保持用開口内に入り込むことを許容し、かつ、前記配管が配管保持用開口内に入り込んだ後に前記配管の周面の後部側に密接できる一対の可撓片とで構成した請求項１に記載の配管固定具。
【請求項３】
前記止水板の前記壁面側の縁部に、前記壁面に当接して前記壁面と前記止水板との間を止水する止水部を設けた請求項１または２に記載の配管固定具。
【発明の詳細な説明】
【技術分野】
【０００１】
本発明は、壁面に取り付けられたカウンターにおける壁面側の縁部に形成された配管貫通用開口を貫通する配管を壁面に対して固定するための配管固定具に関する。
【背景技術】
【０００２】
従来から、浴室、トイレ、洗面所、台所等の家屋内の各場所に設けられる水栓等には、水道管や給湯機等から延びてくる給水用や給湯用の配管が接続されており、これらの配管の中には壁面に取り付けられたカウンターの配管貫通用開口を貫通して水栓等に延びているものがある。また、このような配管の中には配管固定具によって壁面の所定部分に固定されたものもある（例えば、特許文献１参照）。
【０００３】
この配管固定具は、ボルト挿入用孔とボルト挿入用孔の両側に形成された一対のネジ孔を備えた縦断面形状がコ字状で左右方向に長くなった基盤と、両端側に基盤のネジ孔に対応する孔が形成され中央側が基盤から突出するようにアーチ状に屈曲した配管支持部材と、１個のボルトと、２個のネジ部材とで構成されている。そして、基盤をボルトで壁面に固定し、その基盤の表面に配管を位置させた状態で、配管の前部側部分に配管支持部材のアーチ状の部分を合わせて２個のネジ部材をそれぞれ配管支持部材の孔に通して基盤の一対のネジ孔に螺合させることにより、配管を壁面に固定している。また、配管における配管固定具で固定される部分の周面にはクッション材が取り付けられることもある。
【特許文献１】実用新案登録第３０２４０１４号公報
【発明の開示】
【０００４】
しかしながら、前述した従来の配管固定具を用いて、配管貫通用開口を備えたカウンターにおける配管貫通用開口またはその近傍に位置する配管の部分を壁面に固定した場合には、カウンターの配管貫通用開口と配管固定具との間に隙間が生じるため、カウンターの上面に水が流れたときや壁面を伝ってカウンターの上面に水が流れてきたとき等にはその水はカウンターの下方側に浸入してしまう。これによって、特に、カウンターにエプロンが取り付けられ、カウンターの下方が密閉された空間とされる場合には、このカウンターの下方の空間が浸入した水によって汚れてしまうという問題がある。また、このカウンターの下方側への水の浸入を防止するためには、別途止水のための部材を取り付ける必要が生じる。
【０００５】
本発明は、前述した問題に対処するためになされたもので、その目的は、壁面に取り付けられたカウンターに形成された配管貫通用開口を貫通する配管を、配管貫通用開口を止水した状態で壁面に対して固定することのできる配管固定具を提供することである。
【０００６】
前述した目的を達成するため、本発明に係る配管固定具の構成上の特徴は、壁面に取り付けられたカウンターにおける壁面側の縁部に形成された配管貫通用開口を貫通する配管を壁面に固定するための配管固定具であって、配管貫通用開口を閉塞する止水板と、止水板に設けられ配管を貫通させるとともに配管の周面を密閉した状態で保持できる配管保持用開口を備えた配管保持部とで構成したことにある。
【０００７】
本発明に係る配管固定具は、配管貫通用開口を閉塞する止水板と、配管を貫通させてその周面を密閉した状態で保持できる配管保持用開口を備えた配管保持部とで構成されている。そして、止水板は、カウンターにおける壁面側の縁部に形成された配管貫通用開口における配管が貫通する部分以外の部分を閉塞することにより、カウンターの下方側へ水が浸入することを防止する。また、配管保持部は、配管の周面を密閉した状態で配管を配管保持用開口内を貫通させるとともにその配管を保持する。
【０００８】
したがって、配管は、配管保持部の配管保持用開口を貫通し安定した状態で配管固定具を介して壁面に固定される。なお、この場合の配管保持部の配管保持用開口を配管に密接させる手段としては、例えば、配管保持部の少なくとも配管の周面に接する配管保持用開口の内周面の部分を軟質材料で構成したり、配管保持用開口の内周面に軟質材料からなるシートを取り付けたりする方法を用いることができる。また、配管固定具の壁面への取り付けは、ねじや接着剤、両面テープ等の固定用具を用いて行われる。このため、本発明に係る配管固定具によると、配管の固定作業が容易になるとともに、安定した止水性能を維持できる。
【０００９】
また、本発明に係る配管固定具の他の構成上の特徴は、配管保持部を、壁面側部分が開放され配管の周面の前部側に密接する保持部本体と、保持部本体の開放側両端にそれぞれ設けられ保持部本体側に撓むことにより前記配管が配管保持用開口内に入り込むことを許容し、かつ、前記配管が配管保持用開口内に入り込んだ後に配管の周面の後部側に密接できる一対の可撓片とで構成したことにある。
【００１０】
この場合の一対の可撓片はそれぞれ保持部本体の開放側端部からやや後方（壁面側）に向って延びる片で構成しておく。これによると、一対の可撓片間を開いて保持部本体内に配管を入り込ませ、その状態で一対の可撓片をそれぞれ配管の周面の後部側に密接させることにより、保持部本体と一対の可撓片とで配管の周面を囲んで配管を壁面に固定することができる。また、配管と壁面との間には一対の可撓片が位置するようになるため、配管固定具を壁面側に押圧して可撓片を壁面に密着させた状態で配管固定具を壁面に取り付けることにより、配管固定具と壁面との間から水が浸入することが防止される。なお、この場合の配管の周面の前部側とは壁面と反対方向の部分であり、配管の周面の後部側とは壁面に対向する部分である。
【００１１】
本発明に係る配管固定具のさらに他の構成上の特徴は、止水板の壁面側の縁部に、壁面に当接して壁面と止水板との間を止水する止水部を設けたことにある。これによると、止水板と壁面との間から水が浸入することも防止できる。したがって、カウンターの上部側からカウンターの下部側に水が浸入することを確実に防止することができる。
【発明を実施するための最良の形態】
【００１２】
以下、本発明の第１実施形態を図面を用いて説明する。図１は、同実施形態に係る配管固定具を用いて固定された配管を備えた浴室１０の内部を示している。この浴室１０においては、上面に洗い場が形成された洗い場フロア１１ａと上面に浴槽１２が設置された浴槽フロア１１ｂとの対向する縁部同士が接続されて防水パン１１が形成されており、その防水パン１１の周囲に壁パネル１３ａ，１３ｂ，１３ｃ等が設けられている。そして、洗い場フロア１１ａの上面における壁パネル１３ｂに沿った部分には、浴槽フロア１１ｂの上面に設置された浴槽１２と並んでカウンター１４が設置されている。
【００１３】
カウンター１４は、浴槽１２の上面部１２ａと略等しい高さになるように設置されており、壁パネル１３ｂにおけるカウンター１４の上方部分には、鏡１５が取り付けられている。そして、壁パネル１３ｂにおけるカウンター１４と鏡１５との間には、カウンター１４で使う湯や水を取り出すための水栓１６が設けられた水栓取付部１７が取り付けられている。また、洗い場フロア１１ａにおける浴槽フロア１１ｂ側部分で、かつカウンター１４の下方の部分には、一対の穴部が形成されており、この一対の穴部を、水栓１６に湯や水を供給するための本発明の配管としての給湯管１７ａおよび給水管１７ｂが貫通して洗い場フロア１１ａの下方から上方に向って延びている。
【００１４】
給湯管１７ａおよび給水管１７ｂは、ともに可撓性を有する樹脂製の管で構成されており、洗い場フロア１１ａに形成された穴部から湾曲しながらカウンター１４における水栓１６の下方部分に延びている。また、カウンター１４の壁パネル１３ｂ側の縁部における略中央には、図２に示したように、配管貫通用開口１８が形成されている。すなわち、カウンター１４における壁パネル１３ｂ側の縁部にはカウンター１４の上面１４ａから下方に延びる後面部１４ｂが形成されており、配管貫通用開口１８は、上面１４ａの後端側部分から後面部１４ｂの下端部にかけて形成されている。この配管貫通用開口１８は、壁パネル１３ｂに沿った左右方向が前後方向よりも長くなった平面視が略長方形の切欠き部で構成されている。
【００１５】
そして、給湯管１７ａと給水管１７ｂとの上部側部分は、配管貫通用開口１８内を貫通してカウンター１４の後部上面と水栓取付部１７の後部下面との間に設置された保護カバー１９内を通って水栓取付部１７内に延び、水栓取付部１７内で水栓１６に連結されている。また、水栓１６にはそれぞれ湯を取り出すための操作部１６ａと水を取り出すための操作部１６ｂとが備わっており、取り出す湯や水に応じて対応する操作部１６ａ，１６ｂを操作することにより任意の湯や水を取り出すことができる。
【００１６】
また、給湯管１７ａと給水管１７ｂとにおける配管貫通用開口１８の上部に位置する部分は、配管固定具２０によって壁パネル１３ｂに固定されている。この配管固定具２０は、図３ないし図８に示したように、平面状の止水板２１と、一対の配管保持部２２，２３と、止水板２１の後縁部（図３における上部側の縁部）から上方に突出した本発明の止水部としての止水壁部２４とで構成されている。止水板２１は、平面視で後縁部が略直線状に形成され、側部側から前部側にかけての縁部が略円弧状に形成された左右方向に長い板体で構成されている。
【００１７】
また、止水板２１の後縁部側部分の両側には間隔を保って、一対の配管保持用開口２５，２６が形成されており、この配管保持用開口２５，２６は、止水板２１の底面から配管保持部２２，２３を貫通してそれぞれ配管保持部２２，２３の上端面まで延びている。そして、止水板２１の上面における前部側縁部の中央には、縁部側が低くなったテーパ面２１ａが形成されている。一対の配管保持部２２，２３は、それぞれ止水板２１の上面における後縁部側部分の両側に互いに間隔を保って形成された長さの短い略筒状の壁部で構成されている。
【００１８】
配管保持部２２は、後部側が開放された平面視が略半円状の保持部本体２２ａと、保持部本体２２ａの開放側のそれぞれの端部から斜め後方に向って突出した一対の可撓片２２ｂ，２２ｃとで構成され、配管保持部２３は、それぞれ後部側が開放された平面視が略半円状の保持部本体２３ａと、保持部本体２３ａの開放側のそれぞれの端部から斜め後方に突出した一対の可撓片２３ｂ，２３ｃとで構成されている。また、配管保持部２２の前面下端部には平面状の切欠き凹部２２ｄが形成され、配管保持部２３の前面下端部には平面状の切欠き凹部２３ｄが形成されている。
【００１９】
そして、配管保持部２２における配管保持用開口２５が形成された内面側の保持部本体２２ａと可撓片２２ｂとの間および保持部本体２２ａと可撓片２２ｃとの間には、それぞれ配管保持用開口２５から配管保持部２２の外周側に向って延びる切欠き部２５ａ，２５ｂが形成されている。同様に、配管保持部２３における配管保持用開口２６が形成された内面側の保持部本体２３ａと可撓片２３ｂとの間および保持部本体２３ａと可撓片２３ｃとの間には、それぞれ配管保持用開口２６から配管保持部２３の外周側に向って延びる切欠き部２６ａ，２６ｂが形成されている。
【００２０】
可撓片２２ｂ，２２ｃは、切欠き部２５ａ，２５ｂが形成されたことによって保持部本体２２ａとの連結部を中心として前後方向に回動可能になっており、保持部本体２２ａ側に押し付けられたときに、切欠き部２５ａ，２５ｂは閉塞される。そのとき、保持部本体２２ａの内面と可撓片２２ｂ，２２ｃの内面とが連続する面に連なって、配管保持用開口２５は、給湯管１７ａを内部に収容できる円形の穴部になる。また、その際、可撓片２２ｂ，２２ｃの端部どうしが当接して可撓片２２ｂ，２２ｃの後面（外面）は、止水板２１の後縁部に沿った平面状になる。
【００２１】
同様に、可撓片２３ｂ，２３ｃも、切欠き部２６ａ，２６ｂが形成されたことによって保持部本体２３ａとの連結部を中心として前後方向に回転可能になっており、保持部本体２３ａ側に押し付けられたときに、切欠き部２６ａ，２６ｂは閉塞される。そのとき、保持部本体２３ａの内面と可撓片２３ｂ，２３ｃの内面とが連続する面に連なって、配管保持用開口２６は、給水管１７ｂを内部に収容できる円形の穴部になる。また、その際、可撓片２３ｂ，２３ｃの端部どうしが当接して可撓片２３ｂ，２３ｃの後面は、止水板２１の後縁部に沿った平面状になる。
【００２２】
止水壁部２４は、配管保持部２２，２３に対応する部分が、それぞれ可撓片２２ｂ，２２ｃおよび可撓片２３ｂ，２３ｃで構成される板体で構成されており、可撓片２２ｂ，２２ｃを保持部本体２２ａ側に押し付け、可撓片２３ｂ，２３ｃを保持部本体２３ａ側に押し付けたときに平面状になる。また、止水壁部２４は、下端縁部が直線状で、側部側から上部側にかけての縁部が略円弧状に形成された左右方向に長い板体で構成されている。また、止水壁部２４には、配管固定具２０を壁パネル１３ｂに固定するための固定部材（図示せず）を通して係合させるための４つの挿通孔２４ａ，２４ｂ，２４ｃ，２４ｄが左右方向に間隔を保って形成されている。
【００２３】
そして、止水壁部２４の前面における各挿通孔２４ａ，２４ｂ，２４ｃ，２４ｄの下部側部分と止水板２１との間にはそれぞれ四角形の補強部２７ａ，２７ｂ，２７ｃ，２７ｄが各挿通孔２４ａ，２４ｂ，２４ｃ，２４ｄの下部側部分を塞ぐようにして形成されている。この配管固定具２０における止水板２１と止水壁部２４の可撓片２２ｂ，２２ｃおよび可撓片２３ｂ，２３ｃを除く部分は、硬質の樹脂で構成され、配管保持部２２，２３は軟質の樹脂で構成されている。
【００２４】
このように構成された配管固定具２０は、配管保持部２２の配管保持用開口２５内に給湯管１７ａを位置させ、配管保持部２３の配管保持用開口２６内に給水管１７ｂを位置させた状態でカウンター１４の上面における壁パネル１３ｂ側に設置される。そして、各挿通孔２４ａ，２４ｂ，２４ｃ，２４ｄにねじ等の固定部材を通しその固定部材を壁パネル１３ｂに固定することによって、配管固定具２０は、給湯管１７ａの周面を配管保持部２２で密閉し、給水管１７ｂの周面を配管保持部２３で密閉した状態で給湯管１７ａと給水管１７ｂとを固定する。そして、壁パネル１３ｂにおけるカウンター１４の後部上面と水栓取付部１７との間に保護カバー１９が取り付けられて給湯管１７ａと給水管１７ｂとを覆っている。
【００２５】
この配管固定具２０を用いて、給湯管１７ａと給水管１７ｂとを壁パネル１３ｂに固定する場合には、まず、洗い場フロア１１ａを貫通して上方に延びてくる給湯管１７ａと給水管１７ｂとの上部側部分を、図２に示したように、配管貫通用開口１８を貫通させてカウンター１４の上部側に延ばす。つぎに、その状態の給湯管１７ａと給水管１７ｂとをそれぞれ配管固定具２０の配管保持用開口２５，２６内に入れて、配管固定具２０をカウンター１４の上面における配管貫通用開口１８の部分に設置する。図９には、配管固定具２０をカウンター１４の上面に設置した状態が示されている（図９では、説明の便宜上給湯管１７ａと給水管１７ｂとの図示を省略している。）。
【００２６】
そして、その状態の配管固定具２０の止水板２１をカウンター１４の上面に押し付けるとともに、止水壁部２４を壁パネル１３ｂに押し付けて、図１０の状態にする。これによって、給湯管１７ａは配管保持部２２によって周面を密閉された状態で保持され、給水管１７ｂは配管保持部２３によって周面を密閉された状態で保持される。また、配管貫通用開口１８における給湯管１７ａと給水管１７ｂとが貫通している部分以外の部分は止水板２１によって閉塞され、配管貫通用開口１８における壁パネル１３ｂに沿った部分は止水壁部２４が壁パネル１３ｂに当接することによって閉塞される。
【００２７】
その状態で、止水壁部２４に形成された挿通孔２４ａ，２４ｂ，２４ｃ，２４ｄに固定部材を通し、その先端部を壁パネル１３ｂに固定することにより、配管固定具２０は、給湯管１７ａと給水管１７ｂと保持した状態で壁パネル１３ｂに固定される。そして、給湯管１７ａと給水管１７ｂの先端部を、水栓取付部１７に設けられた水栓１６に接続したのちに、図１１に示したように、壁パネル１３ｂにおけるカウンター１４の後部上面と水栓取付部１７との間に保護カバー１９を取り付けて作業が終了する。
【００２８】
このように、本実施形態に係る配管固定具２０は、止水板２１と、一対の配管保持部２２，２３と、止水壁部２４とで構成されている。そして、止水板２１は、カウンター１４に形成された配管貫通用開口１８における給湯管１７ａと給水管１７ｂとが貫通する部分以外の部分を閉塞してカウンター１４の下方側に水が浸入することを防止する。また、配管保持部２２は給湯管１７ａの周面を密閉した状態で給湯管１７ａを貫通させて保持し、配管保持部２３は給水管１７ｂの周面を密閉した状態で給水管１７ｂを貫通させて保持する。
【００２９】
このため、給湯管１７ａと止水板２１との間および給水管１７ｂと止水板２１との間から水が浸入することも防止される。また、止水壁部２４は壁パネル１３ｂに当接して、止水板２１の後端縁部と壁パネル１３ｂとの間から水が浸入することを防止できる。このため、カウンター１４の下方側に水が浸入することを確実に防止することができる。
【００３０】
また、配管保持部２２を、保持部本体２２ａと、保持部本体２２ａの開放側両端に設けられた可撓片２２ｂ，２２ｃとで構成し、配管保持部２３を、保持部本体２３ａと、保持部本体２３ａの開放側両端に設けられた可撓片２３ｂ，２３ｃとで構成している。このため、給湯管１７ａを可撓片２２ｂ，２２ｃ間に位置させて配管保持部２２を押し当てると、可撓片２２ｂ，２２ｃが撓むことによって、可撓片２２ｂ，２２ｃ間が開いて保持部本体２２ａ内に給湯管１７ａが入り込み、その状態で可撓片２２ｂ，２２ｃをそれぞれ給湯管１７ａの後部側に密接させることにより、保持部本体２２ａと可撓片２２ｂ，２２ｃとで給湯管１７ａの周面を囲んで給湯管１７ａを壁パネル１３ｂに固定することができる。
【００３１】
また、同様に、給水管１７ｂを可撓片２３ｂ，２３ｃ間に位置させて配管保持部２３を押し当てると、可撓片２３ｂ，２３ｃが撓むことによって、可撓片２３ｂ，２３ｃ間が開いて保持部本体２３ａ内に給水管１７ｂが入り込み、その状態で可撓片２３ｂ，２３ｃをそれぞれ給水管１７ｂの後部側に密接させることにより、保持部本体２３ａと可撓片２３ｂ，２３ｃとで給水管１７ｂの周面を囲んで給水管１７ｂを壁パネル１３ｂに固定することができる。このため、本実施形態に係る配管固定具２０によると、給湯管１７ａと給水管１７ｂとの固定作業が容易になるとともに、安定した止水性能を維持することができる。
【００３２】
図１２は、前述した実施形態の変形例に係る配管固定具３０を示している。この配管固定具３０では、配管保持部３２の前面下部に切欠き凹部は形成されてなく、配管保持部３３の前面下端部にも切欠き凹部は形成されていない。この配管固定具３０のそれ以外の部分の構成については前述した配管固定具２０と同一である。したがって、同一部分に同一符号を記して説明は省略する。また、この配管固定具３０によっても、前述した配管固定具２０と同様の作用効果を得ることができる。
【００３３】
図１３は、前述した実施形態の他の変形例に係る配管固定具４０を示している。この配管固定具４０では、止水壁部４４に補強部は設けられてなく、４個の挿通孔４４ａ，４４ｂ，４４ｃ，４４ｄがそれぞれねじを挿通させるための円形の穴部で構成されている。この配管固定具４０のそれ以外の部分の構成については前述した配管固定具３０と同一である。したがって、同一部分に同一符号を記して説明は省略する。これによると、ねじのような単純な形状の固定部材を用いて配管固定具４０を壁パネル１３ｂに固定することができる。この配管固定具４０のそれ以外の作用効果については、前述した配管固定具３０と同様である。
【００３４】
また、本発明に係る配管固定具は、前述した実施形態に限定するものでなく適宜変更して実施することができる。例えば、前述した実施形態では、止水部を板状の止水壁部２４，４４で構成しているが、この止水壁部２４，４４に代えて止水板２１の後縁部に沿って延びる線状のシール部で構成してもよい。また、この止水部を省略することもできる。さらに、前述した実施形態では、配管固定具をねじ等の固定部材を用いて壁パネルに固定しているが、この固定部材に代えて両面テープや接着剤等を用いることもできる。
【００３５】
また、前述した実施形態では、配管固定具２０等で給湯管１７ａと給水管１７ｂとの２個の配管を固定するようにしているが、配管保持部を１個だけで構成して、１個の配管を固定するようにしてもよい。さらに、配管保持部を３個以上設けて、３個以上の配管を固定できるようにすることもできる。また、前述した実施形態では、配管固定具２０等を浴室１０で使用しているが、本発明に係る配管固定具は、浴室に限らず、カウンターに設けられた配管貫通用開口を貫通する配管を壁面に固定するために使用する場所であれば、トイレ、洗面所、台所等の湯や水を使用する種々の場所で使用することができる。
【図面の簡単な説明】
【００３６】
【図１】本発明の一実施形態に係る配管固定具を用いて固定された配管を備えた浴室を示した断面図である。
【図２】カウンターに設けられた配管貫通用開口を示した一部切欠き斜視図である。
【図３】配管固定具を正面側から見た状態を示した斜視図である。
【図４】配管固定具を裏面側から見た状態を示した斜視図である。
【図５】配管固定具を示した平面図である。
【図６】配管固定具を示した正面図である。
【図７】配管固定具を示した側面図である。
【図８】配管固定具を示した底面図である。
【図９】カウンターの配管貫通用開口に配管固定具を設置示した状態を示した一部欠き斜視図である。
【図１０】配管固定具で給湯管と給水管とを壁パネルに固定した状態を示した一部欠き斜視図である。
【図１１】図１０の状態の給湯管と給水管とを保護カバーで覆った状態を示した一部欠き斜視図である。
【図１２】変形例に係る配管固定具を示した斜視図である。
【図１３】他の変形例に係る配管固定具を示した斜視図である。
【符号の説明】
【００３７】
１３ｂ…壁パネル、１４…カウンター、１７ａ…給湯管、１７ｂ…給水管、１８…配管貫通用開口、２０，３０，４０…配管固定具、２１…止水板、２２，２３，３２，３３…配管保持部、２２ａ，２３ａ…保持部本体、２２ｂ，２２ｃ，２３ｂ，２３ｃ…可撓片、２４，４４…止水壁部、２５，２６…配管保持用開口。
【図１】
2008180338.tif 000003
【図２】
2008180338.tif 000004
【図３】
2008180338.tif 000005
【図４】
2008180338.tif 000006
【図５】
2008180338.tif 000007
【図６】
2008180338.tif 000008
【図７】
2008180338.tif 000009
【図８】
2008180338.tif 000010
【図９】
2008180338.tif 000011
【図１０】
2008180338.tif 000012
【図１１】
2008180338.tif 000013
【図１２】
2008180338.tif 000014
【図１３】
2008180338.tif 000015